(57)【特許請求の範囲】
【請求項１】
主復水器から希ガス蒸気を空気抽出器で抽出し、オフガス予熱器，再結合器，排ガス復水器，除湿冷却器，ホールドアップ塔を通してスタックから大気放出する気体廃棄物処理設備において、前記排ガス復水器のドレン排出配管と前記除湿冷却器のドレン排水配管をそれぞれドレン水戻り配管を介して前記主復水器に接続してなることを特徴とする気体廃棄物処理設備。
【請求項２】
排ガス復水器のドレン排水配管と除湿冷却器のドレン排水配管の下流側に水位制御弁を設けることを特徴とする請求項１記載の気体廃棄物処理設備。
【請求項３】
排ガス復水器のドレン排水配管と除湿冷却器のドレン排水配管の下流側に逆止弁を設けることを特徴とする請求項１記載の気体廃棄物処理設備。
【請求項４】
排ガス復水器のドレン排水配管と除湿冷却器のドレン排水配管にレベル計を設け、前記水位制御弁と電気的に接続したことを特徴とする請求項１記載の気体廃棄物処理設備。
【発明の詳細な説明】
【０００１】
【発明の属する技術分野】
本発明は、改良型沸騰水型原子力発電設備において主復水器から希ガス蒸気を抽出するために設けられた気体廃棄物処理設備に関する。
【０００２】
【従来の技術】
図２により従来の改良型沸騰水型原子力発電所における気体廃棄物処理設備（オフガス系）について説明する。
すなわち、図２において、主復水器１から希ガス蒸気を空気抽出器２で抽出し、オフガス予熱器３，再結合器４，排ガス復水器５，除湿冷却器６，ホールドアップ塔７を通り、最後にオフガス真空ポンプ８でスタック９から大気に放出する設備である。
【０００３】
通常、希ガス蒸気は、オフガス予熱器３，再結合器４で加熱されるため、蒸気凝縮によりドレン水が排ガス復水器５および除湿冷却器６で大量に発生し、共通排水ドレン配管12を通り、主復水器１に戻る形となっている。
【０００４】
特に、オフガス系プラントの過渡状態時には、凝縮されたドレン水がさらに大量に発生するが排ガス復水器５に設置されているレベル計14がレベル制御動作をし水位制御弁13を開くが、除湿冷却器６のドレン配管11からのドレン水も発生してくるために共通排水ドレン配管12から排出しきれない。
【０００５】
したがって、排ガス復水器５，除湿冷却器６の水位を押し上げてホールドアップ塔７に移行して、ホールドアップ塔７の機能を損ねることになる。また、主復水器１の真空度も損なわれることになる。さらに、オフガス除湿冷却器６が万一過負圧になると排ガス復水器５のドレン排水の妨げとなりドレンによる配管12の閉塞の恐れがあった。
【０００６】
【発明が解決しようとする課題】
従来の技術において、オフガス復水器および除湿冷却器のドレン水の処理が共通配管のため、抵抗が増加することにより流れづらくなるため、排ガス復水器および除湿冷却器の水位を運転員が監視し、水位制御弁13を調整する必要がある。このため、プラントの過渡状態時には、凝縮されたドレン水がさらに大量に発生するため、このような操作および水位監視頻度が多大にある場合には、著しく操作効率が低下する課題がある。
【０００７】
本発明は上記課題を解決するためになされたもので、プラントの過渡状態時に凝縮されたドレン水がさらに大量に発生した場合でも、オフガス系のドレン水の排水が容易で、運転員の操作および監視頻度を軽減できる気体廃棄物処理設備を提供することにある。
【０００８】
【課題を解決するための手段】
請求項１の発明は、主復水器から希ガス蒸気を空気抽出器で抽出し、オフガス予熱器，再結合器，排ガス復水器，除湿冷却器，ホールドアップ塔を通してスタックから大気放出する気体廃棄物処理設備において、前記排ガス復水器のドレン排出配管と前記除湿冷却器のドレン排水配管をそれぞれドレン水戻り配管を介して前記主復水器に接続してなることを特徴とする。
【０００９】
請求項１の発明によれば、排ガス復水器および除湿冷却器のドレン水の処理が共通配管のため抵抗が増加することにより流れづらくなり、したがって個別の配管構成にして分離する手段が有効となる。また、個別に設置する水位制御弁およびレベル計の構成が手段として有効となる。
【００１０】
請求項２の発明は、プラントの過渡状態時にオフガス系の排ガス復水器のドレン排水配管と除湿冷却器のドレン排水配管に水位制御弁およびレベル計を設置したことにより急激なドレン水の増加に対しても運転員が監視頻度を上げなくても対応ができる手段を備えたものである。
【００１１】
請求項２の発明によれば、ドレン排水配管を分離させて、万が一の事象が発生しても対応できるように水位制御弁を設けている。水位制御弁は、ドレン水配管に適した流量を提供し、逆止弁はドレン配管からの逆流を防止できる。
【００１２】
請求項３の発明は、プラントの過渡状態時にオフガス系の排ガス復水器のドレン排水配管と除湿冷却器のドレン排水配管の下流側に逆止弁を設置したことを特徴とする。請求項３の発明によれば、急激なドレン水の増加に対しても逆流防止対応ができ、とくに逆止弁はドレン水配管から逆流に対して上流側への流れを防止できる。
【００１３】
請求項４の発明は、排ガス復水器のドレン排水配管と除湿冷却器のドレン排水配管にレベル計を設け、前記水位制御弁と電気的に接続したことを特徴とする。請求項４の発明によれば、排ガス復水器のドレン排水配管と除湿冷却器のドレン排水配管を個々に分離させることにより個々の機器が故障しても個別にドレン排水が容易に流せるように対応できる。
【００１４】
また、機器故障による多量のドレン水が発生しても、ドレン配管の分離により個々に復水器へドレン水を流すことができるとともに、排ガス復水器のドレン排水配管と除湿冷却器のドレン排水配管を個々に分離させることにより、ドレン排水の影響を受け難い構成となり円滑な運転を提供できる。
【００１５】
さらに、通常運転においてもドレン水が発生するが、ドレン排水配管の分離により個々に復水器へドレン水を流すことができるため、円滑な運転ができるとともに、除湿冷却器側の圧力が低下した場合にも、排ガス復水器のドレン排水配管と除湿冷却器のドレン排水配管を個々に分離させドレン発生の多い排ガス復水器のドレン排水の妨げを防止できる。
【００１６】
【発明の実施の形態】
図１により本発明に係る気体廃棄物処理設備の実施の形態を説明する。
図１において、主復水器１からスタック９までの間に空気抽出器２，オフガス予熱器３，再結合器４，排ガス復水器５，除湿冷却器６，ホールドアップ塔７およびオフガス真空ポンプ８が順次接続されている。
【００１７】
ここで、排ガス復水器５にはドレン配管10，レベル計14が設けられ、ドレン配管10に水位制御弁13が接続している。水位制御弁13とレベル計14は電気的に接続している。水位制御弁13の下流側に逆止弁15が接続し、この逆止弁15と主復水器１との間を排ガス復水器用ドレン水戻り配管16により接続している。
【００１８】
一方、除湿冷却器６にもドレン配管11，レベル計17が設けられ、ドレン配管11には水位制御弁18が接続している。水位制御弁18とレベル計17は電気的に接続している。水位制御弁18の下流側に逆止弁19が接続し、この逆止弁19と主復水器１との間を除湿冷却器用ドレン水戻り配管20により接続している。
【００１９】
本実施の形態によれば、図２に示した従来例に対比して排ガス復水器５のドレン配管10と除湿冷却器６のドレン配管11が合流していたのを個別の配管12にしたことにより、従来に比べて流れ易くさせることができる。また、排ガス復水器５および除湿冷却器６からのドレン水が排ガス復水器５のレベル計14および除湿冷却器６のレベル計17を設置したことにより、制御信号を排ガス復水器５の制御弁13および除湿冷却器６の制御弁15に与え制御弁13，15の開度を制御する運転になる。
【００２０】
そのため、運転員が従来１つの水位で排ガス復水器５の制御弁13のみで行っていて、監視頻度が複雑だったのを解消できる。さらに、プラントの過渡状態において、大量に排水が発生されても主復水器１からの逆流を防止するために逆止弁12を個々の配管に設置する。
【００２１】
【発明の効果】
本発明によれば、プラントの過渡状態時に排ガス復水器のドレン排水配管と除湿冷却器のドレン排水が容易に処理が可能となるとともに、運転員の監視についての負荷低減となる。また、通常運転および初期運転時についても運転員に対して負荷低減となる。
【図面の簡単な説明】
【図１】本発明に係る気体廃棄物処理設備の実施の形態を示す系統構成図。
【図２】従来の気体廃棄物処理設備を示す系統構成図。
【符号の説明】
１…主復水器、２…空気抽出器、３…オフガス予熱器、４…再結合器、５…排ガス復水器、６…除湿冷却器、７…ホールドアップ塔、８…オフガス真空ポンプ、９…スタック、10…排ガス復水器用ドレン配管、11…除湿冷却器用ドレン配管、12…共通排水ドレン配管、13…排ガス復水器用水位制御弁、14…排ガス復水器用レベル計、15…排ガス復水器用逆止弁、16…排ガス復水器ドレン水戻り配管、17…除湿冷却器用レベル計、18…除湿冷却器用水位制御弁、19…除湿冷却器用逆止弁、20…除湿冷却器用ドレン水戻り配管。
【図１】
0004004676.tif 000002
【図２】
0004004676.tif 000003